(57)【要約】      （修正有）【課題】商品表示を目立つようにするとともに、商品表示内容の交換を容易な作業で行うことができる広告装置を提供する。【解決手段】コルトンボックス本体１１には、正面パネル板１２に側縁部保持レール１２１、上縁部保持レール１２２、着脱可能なアンダーカバー１２５を備えた下縁部保持レール１２３を配設している。正面パネル板１２には、第１の表示文字１３２ａを表示した第１の表示板１３と、第２の表示文字を表示した第２の表示板１４とを上下方向に二分割して配置し、第１の表示板１３と第２の表示板１４を覆うように樹脂製の樹脂カバー１５を配置している。コルトンボックス本体１１を半透明の樹脂材で形成し、第１の表示板１３を、透明シート１３１にカッティングシート１３２を貼着して形成する。樹脂カバー１５の周縁部を正面パネル板１２の側縁保持レール１２１に湾曲状に撓ませながら嵌入する。【選択図】図３
0003142256.tif 000002
【実用新案登録請求の範囲】
【請求項１】
商品棚における商品を表示する広告装置であって、
半透明の樹脂材料で形成されたコルトンボックス本体と、前記コルトンボックス本体の正面パネル板上に上下に二分割して配設する第１の表示板及び第２の表示板と、前記第１の表示板及び前記第２の表示板を覆う透明の樹脂カバーとを備え、
前記第１の表示板は、透明の樹脂板に第１の表示文字を形成したカッティングシートを貼着して形成され、
前記第２の表示板は、第２の表示文字を表示したフィルム材で形成され、
前記正面パネル板の周縁部付近には、少なくとも前記樹脂カバーの周縁部を保持して溝部を備える縁部保持部が配設され、前記縁部保持部のうち、下部に配設される縁部保持部には、前記樹脂カバーの下縁部を止着するアンダーカバーが着脱可能に配設されていることを特徴とする広告装置。
【請求項２】
前記第１の表示文字は、前記カッティングシートから切り抜かれる抜き型にて形成されていることを特徴とする請求項１記載の広告装置。
【請求項３】
前記第１の表示板には、下縁部から下方に突出する薄板状の案内シートが配設されて、前記第２の表示板の裏面上縁部を支持可能としていることを特徴とする請求項１又は２記載の広告装置。
【請求項４】
前記コルトンボックス本体の正面パネル板は、下傾されていることを特徴とする請求項１又は２記載の広告装置。
【請求項５】
前記コルトンボックス本体の正面パネル板は、下傾されていることを特徴とする請求項３記載の広告装置。
【請求項６】
商品棚における商品を表示する広告装置であって、
半透明の樹脂材料で形成されたコルトンボックス本体と、第１の表示文字を表示した第１の表示板と、前記コルトンボックスの正面パネル板と前記第１の表示板との間に配設されて第２の表示文字を表示した第２の表示板とを備え、
前記第１の表示板は、前記コルトンボックス本体の正面パネル板を覆う樹脂製の透明シートの上部に、カッティングシートを前記第１の表示板の表面上部に貼着して形成され、
前記第２の表示板は、第２の表示文字を表示したフィルム材で形成され、
前記正面パネル板の周縁部付近には、少なくとも前記第１の表示板の周縁部を保持して溝部を備える縁部保持部が配設され、前記縁部保持部のうち、下部に配設される縁部保持部には、前記第１の表示板の下縁部を止着するアンダーカバーが着脱可能に配設されていることを特徴とする広告装置。
【請求項７】
前記第１の表示文字は、前記カッティングシートから切り抜かれる抜き型にて形成されていることを特徴とする請求項６記載の広告装置。
【請求項８】
前記コルトンボックス本体の正面パネル板は、下傾されていることを特徴とする請求項６又は７のいずれかに記載の広告装置。
【考案の詳細な説明】
【技術分野】
【０００１】
本考案は、商品棚における商品を表示する広告装置に関する。
【背景技術】
【０００２】
商品表示する広告装置は、表示パネルに表示部を装着して、陳列された商品の付近に配置されている。例えば、この表示部を目立つようにするために、大きな文字やポスターで表示したり、陳列棚の上部に配置して照明したりすることによって、お客様にわかりやすく表示していた。
【０００３】
従来、商品を表示する広告装置としては、特許文献１に開示されたコルトンボックスが知られている。これによると、コルトンボックスは、装飾用のフィルムと、フィルムの表面を覆う透明で可撓性を有するフィルムカバーとが、裏面側から照明されてコルトンボックス本体に支持されている。また、コルトンボックス本体が、透光性を有して湾曲するフィルム表示部を備え、フィルム表示部がフィルムカバーの周縁を係着可能な保持部を備え、フィルムがフィルムカバーのフィルム表示部への係着時に、フィルム表示部が圧接されるように配設されている。
【０００４】
湾曲したフィルム表示部にフィルムカバーが保持部により係着されてフィルムを保持することから、フィルムが湾曲されて自立し易くなる。また、フィルムが前面を圧接されて支持されることから、しわがよりにくい。フィルムの取り外しが容易であり、軽量化を図ることができることとなっていた。
【特許文献１】特開平１１−１０９８６０号公報
【考案の開示】
【考案が解決しようとする課題】
【０００５】
しかし、前述の特許文献１に記載されているコルトンボックスは、コルトンパネルに表示される表示が１枚の装飾用フィルムであり、装飾用フィルムが弾性変形可能なコルトンパネルとフィルムカバーとの間に挟持されているものである。コルトンパネルが、フィルム表示部全体にわたって配置されているから、装飾用フィルムの表示内容を、コルトンボックス内に配置された照明を使用して表示することによって、確かに見やすくしている。しかし、照射されて光が透過するのはコルトンパネルに装着された部位だけであり、その周りの壁板部からは光が透過されない。従って、狭い範囲において光が透過されることから、幅広く目立たせるためには、従来のコルトンボックスではまだ不十分であった。その商品表示をさらに目立つように表示するには、１枚のフィルム材で形成された表示文字を含めてコルトンパネル自体を見直す必要があった。
【０００６】
さらに、特許文献１のコルトンボックスは、コルトンパネルが前板のガイドレールに嵌入させて湾曲した状態で支持していることから、確かに、コルトンパネルや装飾用フィルムの取り外しは容易に行えるものの、フィルム表示部の周りに配置されている壁板は、鉄板で形成されていたことから、コルトンボックス自体を取付け・取り外しさせることには、重量が嵩んで容易に行うことができなかった。
【課題を解決するための手段】
【０００７】
本考案は、上述の課題を解決するものであり、照明で浮き出される表示文字の一部を目立つように表示できるとともに、コルトンボックス自体の取付け・取り外しを容易に行える広告装置を提供することを目的とするものである。そのために本考案に係る広告装置は、
請求項１記載の考案では、商品棚における商品を表示する広告装置であって、
半透明の樹脂材料で形成されたコルトンボックス本体と、前記コルトンボックス本体の正面パネル板上に上下に二分割して配設する第１の表示板及び第２の表示板と、前記第１の表示板及び前記第２の表示板を覆う透明の樹脂カバーとを備え、前記第１の表示板は、透明の樹脂板に第１の表示文字を形成したカッティングシートを貼着して形成され、前記第２の表示板は、第２の表示文字を表示したフィルム材で形成され、前記正面パネル板の周縁部付近には、少なくとも前記樹脂カバーの周縁部を保持して溝部を備える縁部保持部が配設され、前記縁部保持部のうち、下部に配設される縁部保持部には、前記樹脂カバーの下縁部を止着するアンダーカバーが着脱可能に配設されていることを特徴とするものである。
【０００８】
請求項２記載の考案では、前記第１の表示文字は、前記カッティングシートから切り抜かれる抜き型にて形成されていることを特徴としている。
【０００９】
請求項３記載の考案では、前記第１の表示板には、下縁部から下方に突出する薄板状の案内シートが配設されて、前記第２の表示板の裏面上縁部を支持可能としていることを特徴としている。
【００１０】
請求項４記載の考案は請求項１又は２記載の考案であって、前記コルトンボックス本体の正面パネル板は、下傾されていることを特徴としている。
【００１１】
請求項５記載の考案は請求項３記載の考案であって、前記コルトンボックス本体の正面パネル板は、下傾されていることを特徴としている。
【００１２】
請求項６記載の考案では、商品棚における商品を表示する広告装置であって、
半透明の樹脂材料で形成されたコルトンボックス本体と、第１の表示文字を表示した第１の表示板と、前記コルトンボックスの正面パネル板と前記第１の表示板との間に配設されて第２の表示文字を表示した第２の表示板とを備え、前記第１の表示板は、前記コルトンボックス本体の正面パネル板を覆う樹脂製の透明シートの上部に、カッティングシートを前記第１の表示板の表面上部に貼着して形成され、前記第２の表示板は、第２の表示文字を表示したフィルム材で形成され、前記正面パネル板の周縁部付近には、少なくとも前記第１の表示板の周縁部を保持して溝部を備える縁部保持部が配設され、前記縁部保持部のうち、下部に配設される縁部保持部には、前記第１の表示板の下縁部を止着するアンダーカバーが着脱可能に配設されていることを特徴とするものである。
【００１３】
請求項７記載の考案では、前記第１の表示文字は、前記カッティングシートから切り抜かれる抜き型にて形成されていることを特徴としている。
【００１４】
請求項８記載の考案は請求項６又は７記載の考案であって、前記コルトンボックス本体の正面パネル板は、下傾されていることを特徴としている。
【考案の効果】
【００１５】
本考案に係る広告装置によれば、表示板は、第１の表示板と第２の表示板とを分割して設けている。第１の表示板が透明の樹脂板に、第１の表示文字を切り抜いたカッティングシートを貼着して形成され、第２の表示板が第２の表示文字を表示したフィルム材で形成され、それぞれの表示板を透明の樹脂板で覆うようにしている。そのため、例えばコルトンボックス内から照明することによって、カッティングシートに切り抜かれた第１の表示文字がはっきりと浮き出されて表示される。つまりコルトンボックス本体は半透明の樹脂板で形成されているから、コルトンボックス内の照明が、コルトンボックス全体にわたって透過されるとともに、カッティングシートに切り抜かれた第１の表示文字は透明の樹脂板を透過することから、特に第１の表示文字を浮き出させることができる。
【００１６】
また、第１の表示板、第２の表示板を覆う樹脂カバーは、コルトンボックス本体の正面パネル板に装着する際、樹脂カバーの中央部を前方に撓ませるようにすれば、樹脂カバーの周縁部を正面パネル板の縁部保持部に容易に嵌入させることができる。この際、正面パネル板の下縁第部の縁部保持部に、樹脂カバーの下縁部を保持するアンダーカバーを着脱可能に配設することによって、樹脂カバーの着脱を容易にさせ、同様に第１の表示板、第２の表示板も正面パネル板に容易に着脱させることができる。
【００１７】
このコルトンボックス本体、第１の表示板、第２の表示板、樹脂カバーは全て樹脂製であるから、重量が嵩むことはなく、コルトンボックス本体の取替えや、第１の表示板、第２の表示板、樹脂カバーの着脱は、コルトンボックスが商品棚の上方に配置されていても、立ち姿勢で容易に行うことができる。
【００１８】
また、この考案においては、分割された第１の表示板と第２の表示板とは、上方に配置された第１の表示板が落下して第２の表示板の表側又は裏側に入り込むことを防止している。例えば、第１の表示板の下縁部に下方に突出する薄板状の案内シートを設けることによって、第２の表示板の上縁部が、第１の表示板の下縁部に対して案内シートで位置決めされることになり、第１の表示板が第２の表示板と面一となるように保持されることから、第１の表示板の落下を防止することができる。
【００１９】
さらに、正面パネル板を下傾状態で配置することによって、店内照明により斜光線が写し出されることを防止して、コルトンボックス内の照明だけで表示部を見やすくすることができる。
【００２０】
なお、この考案では、第１の表示部を、第１の表示文字を表示したカッティングシートを樹脂製透明シートの表面に貼着し、第２の表示部を、正面パネル板と第１の表示板との間に重なるように挟持しても同様の効果を得ることができる。
【考案を実施するための最良の形態】
【００２１】
次に、本考案の広告装置の実施形態を図面に基づいて説明する。図１は、陳列棚１の一形態を示す斜視図であり、図２は、その側面図を示している。広告装置１０（以下、コルトンボックスという）は、陳列棚１の上部に配置されたコルトンボックスベース５とコルトンボックスベース５に着脱可能に構成されたコルトンボックス本体１１とを備えて構成されている。
【００２２】
図３は、コルトンボックス本体１１の分解斜視図を示すものであり、コルトンボックス本体１１の正面パネル板１２に、商品を表示する第１の表示板１３、第２の表示板１４及び樹脂カバー１５が装着されている。
【００２３】
実施形態のコルトンボックス本体１１は後部（コルトンボックスベース５側）を開口した筐体状に形成されている。コルトンボックスベース５の前部（コルトンボックス本体１１側）も開口しており、コルトンボックス１１とコルトンボックスベース５とは、連通したスペースを有していて、照明器具７（図６参照）がそのスペース内に配置されることとなる。実施形態では、照明器具７はコルトンボックスベース５内に収納されている。コルトンボックス本体１１後面の開口された上部と、下部に、それぞれコルトンボックス本体１１の上面、下面より突出する樹脂製の耳片１１１、１１２が、コルトンボックス本体１１の幅方向全体にわたって固着されている。この耳片１１１、１１２をコルトンボックスベース５の上部前枠５１（図６参照）及び下部前枠５２（図６参照）に係止することによって、コルトンボックス本体１１がコルトンボックスベース５に係着される。
【００２４】
コルトンボックス本体１１の前面には正面パネル板１２が配置されている。正面パネル板１２には両側端部付近に、側縁部保持部としての側縁部保持レール１２１、１２１が配置され、上端部付近に上縁部保持レール１２２が配置され、下端縁部付近に下縁部保持レール１２３が配置されている。下縁部保持レール１２３は、図４に示すように、固定保持レール１２４と固定保持レール１２４に着脱可能な着脱用保持レール（以下、アンダーカバーという）１２５とで構成されている。
【００２５】
側縁部保持レール１２１、１２１、上縁部保持レール１２２、固定保持レール１２４は、それぞれＬ字状に形成され正面パネル板１２に対して溝部１２１ａ、１２１ａ、１２２ａ、１２４ａを形成している。固定保持レール１２４は、側縁部保持レール１２１、上縁部保持レール１２２より正面パネル板１２からの高さが低く形成され、アンダーカバー１２５が取り付けられた状態で、アンダーカバー１２５の上面が、側縁部保持レール１２１、上縁部保持レール１２２と同じ高さに設定されている。
【００２６】
アンダーカバー１２５は、図４に示すように、固定保持レール１２４の溝部１２４ａに嵌入する突出部１２５ａを有して全体的に断面略横「ュ」字状に形成されている。また、アンダーカバー１２５には、突出部１２５ａの上面が溝部１２５ｂを形成して、樹脂カバー１の下縁部を嵌入可能としている。
【００２７】
第１の形態による第１の表示板１３は、薄板状の透明樹脂で形成されるとともに可撓性を有する透明シート１３１と、透明シート１３１の表面に第１の表示文字１３２ａを貼着したカッティングシート１３２で形成されている。第１の表示文字１３２ａは、例えば、薬品の種類（「漢方薬」等）が、カッティングシート１３２から切り抜かれて形成されている。図５に示すように、透明シート１３１の下縁部裏面側には、透明シート１３１の長手方向に沿って、透明シート１３１の下端部より下方に突出した案内シート１３３が重なるように固着されている。案内シート１３３の透明シート１３１の下方に突出した部位には、第２の表示板１４の上縁部が重なるように配置されている。これによって、第２の表示板１４の上面で第１の表示板１３の下面を支持することになり、第１の表示板１３が、第２の表示板１４の裏面に沿って落下することを防止している。
【００２８】
第１の表示板１３は、幅方向に長尺状に形成されて正面パネル板１２の上方位置に配置される。その幅方向の長さは、正面パネル板１２の一対の側縁部保持レール１２１、１２１の内側端面間より長く形成され、側縁部保持レール１２１のそれぞれの溝部１２１ａ、１２１ａに嵌入できる長さに形成されている。つまり、第１の表示板１３を一対の側縁部保持レール１２１、１２１に嵌入する際には、第１の表示板１３を前方に湾曲するように撓ませてから挿入することになる。また、第１の表示板１３の上縁部は、上縁部保持レール１２２の溝部１２２ａに上方部に隙間を有して嵌入される。
【００２９】
第１の形態による第２の表示板１４は、可撓性を有するフィルム材で形成され、第２の表示文字１４１が印刷されている。第２の表示文字１４１は、例えば、第１の表示文字１３２ａの効用を詳細に説明した内容が記されている。
【００３０】
第２の表示板１４は、上端面が第１の表示板１３の下端面と接する位置に配置される。その幅方向の長さは、ベース板の一対の側縁部保持レール１２１、１２１の内側端面間より長く形成され、側縁部保持レール１２１のそれぞれの溝部１２１ａ、１２１ａに嵌入できる長さに形成されている。つまり、第２の表示板１４を一対の側縁部保持レール１２１、１２１に嵌入する際には、第１の表示板１３と同様、第２の表示板１４を前方に湾曲するように撓ませてから挿入することになる。また、第２の表示部１４の下縁部は、下縁部保持レール１２３の固定保持レール１２４の溝部１２４ａに嵌入される。
【００３１】
第１の形態による樹脂カバー１５は、第１の表示板１３と第２の表示板１４とを覆う大きさに形成されるとともに透明の樹脂材で形成され可撓性を有している。その幅方向の長さは、正面パネル板１２の一対の側縁部保持レール１２１、１２１の内側端面間より長く形成され、側縁部保持レール１２１のそれぞれの溝部１２１ａ、１２１ａに嵌入できる長さに形成されている。つまり、第１の表示板１３を一対の側縁部保持レール１２１、１２１に嵌入する際には、第１の表示板１３を前方に湾曲するように撓ませてから挿入することになる。
【００３２】
また、図４に示すように、樹脂カバー１５の下縁部は、第２の表示板を覆うようにアンダーカバー１２５を装着した状態の溝部１２５ｂに嵌入される。なお、樹脂カバー１５の縦方向の長さは、樹脂カバー１５を上縁部保持レール１２２の溝部１２２ａとアンダーカバー１２５の溝部１２５ｂとに嵌入した状態に対して、アンダーカバー１２５の溝部１２５ａから脱出できるように上下方向にスライド可能な長さに形成されている。
【００３３】
図６に示すように、コルトンボックスベース５内には、水平方向に沿って２本の照明器具７が取り付けられている。実施形態の照明器具７は、蛍光灯を示すものであるが、蛍光灯以外の照明灯であってもよい。また、２本の蛍光灯でなくても１本でもよく、また３本以上であってもよい。さらに、蛍光灯を縦方向に配置するようにしてもよい。
【００３４】
次に、上述のように構成されたコルトンボックス１０の組付・分解手順について、図７を参照にして説明する。図７は、コルトンボックス本体１１に装着されている樹脂カバー１５を取外す手順を示したものであり、組付手順はその逆の手順で行われる。
【００３５】
陳列棚１の上部に設置されているコルトンボックス１０の表示内容を交換する場合、図７（ａ）に示すように、樹脂カバー１５を上方にスライドして、下縁部をアンダーカバー１２５の溝部１２５ａから脱着する。アンダーカバー１２５が樹脂カバー１５を押圧している状態では、アンダーカバー１２５は固定保持レール１２４から脱着できないことから、樹脂カバー１５を上方にスライドすることによって、溝部１２５ａから脱着できることとなる。次に図７（ｂ）に示すように、アンダーカバー１２５を上方に持ち上げて固定保持レール１２４から脱着する。
【００３６】
樹脂カバー１５は、その幅方向の長さが、一対の側縁部保持レール１２１、１２１の内側端間の長さより長く形成されていて、それぞれの溝部１２１ａ、１２１ａに嵌入されている。そのため、樹脂カバー１５を一対の側縁部保持レール１２１、１２１に嵌入する際は、中央部を前方に湾曲するように撓ませている。樹脂カバー１５を脱着する場合においても、樹脂カバー１５の中央部を前方に湾曲するように撓ませながら行うことになる。図７（ｃ）に示すように、まず、樹脂カバー１５を前方に引き出しながら、上方にスライドさせた位置から下方に下げ、その後、図７（ｄ）に示すように、樹脂カバー１５の上縁部と下縁部付近を持ちながら、一方の側縁部保持レール１２１の溝部１２１ａから、樹脂カバー１５の一方の側縁部を脱着させる。そして他方の側縁部保持レール１２１の溝部１２１ａから他方の側縁部を脱着して、樹脂カバー１５を取外す。
【００３７】
その後、第１の表示板１３と第２の表示板１４とを同様の作用で取外す。この手順は、コルトンボックス本体１１をコルトンボックスベース５に装着した状態で行うことになるが、もちろん、予め、コルトンボックス本体１１をコルトンベース５から取外した状態で行うこともできる。
【００３８】
そして、新たな表示文字（第１の表示文字１３２ａと第２の表示文字１４１）を表示した第１の表示板１３と第２の表示板１４とを交換した後、樹脂カバー１５を前述と逆の手順でコルトンボックス本体１１に装着する。
【００３９】
また、コルトンボックス本体１１をコルトンボックスベース５から取外す場合には、コルトンボックス本体１１の後部に配置された上下一対の耳片１１１、１１２から取外す。この場合、コルトンボックス本体１１を上方に持ち上げることによって、下方の耳片１１２をコルトンボックスベース５の下部前枠５２から脱着させる。その後、コルトンボックス本体１１の下部を前方に引き出すことによって、上方の耳片１１１が上部前枠５1脱着でき、コルトンボックス本体１１をコルトンボックスベース５から取外すことができる。
【００４０】
コルトンボックスベース５内の照明器具７を交換する場合には、上述のように、コルトンボックス本体１１をコルトンボックスベース５から脱着した後、新しい照明器具７に交換することになる。この作用は、コルトンボックスベース５が陳列棚１の上部に固定されているから、立ち姿勢で行うことになるものの、コルトンボックス本体１１が全て軽量の樹脂材であることから、これ等の作業を容易に行うことができる。
【００４１】
上述のように構成されたコルトンボックス１０では、表示文字が、第１の表示板１３と第２の表示板１４とに分割されていることから、照明器具７から照射される光は、半透明の樹脂材で形成されたコルトンボックス本体１１全体を透過するとともに、第１の表示板１３におけるカッティングシート１３２から切り抜かれた第１の表示文字１３２ａを、透明シート１３１を通してはっきりと表示させることができる。第１の表示板１３が小面積で形成できるから、透明シート１３１を廉価に形成できる。
【００４２】
また、第１の表示板１３と第２の表示板１４とを上下方向に分割して配置することから、特にフィルム材で形成された第２の表示板１４の面積を小さくすることができ、廉価に形成できる。
【００４３】
さらに、第１の表示板１３と第２の表示板１４とは、第１の表示板１３の下部に案内シート１３３を設けることによって、第１の表示板１３の下方への落下を防止することができ、取付け・取り外しの作業を容易にすることができる。
【００４４】
また、樹脂カバー１５のコルトンボックス本体１１への着脱は、樹脂カバー１５の可撓性を利用して、前方に撓ませながら側縁部を側縁部保持レール１２１に着脱するように行うことから、やはりその作業を容易にさせることができる。しかも、下縁部保持レール１２３にアンダーカバー１２５を備えることによって、立ち作業であっても、アンダーカバー１２５を着脱させることによって何等支障なく確実に行うことができる。
【００４５】
次に、第２の形態のコルトンボックス１０Ａについて説明する。
【００４６】
図８に示すように、コルトンボックス本体１１Ａは、第１の形態のコルトンボックス１１と同一であり、コルトンボックス本体１１Ａに第２の形態の第１の表示板２３と第２の形態の第２の表示板２６が装着されている。
【００４７】
第２の形態における第１の表示板２３は、第１の形態におけるカッティングシート１３１と略同一の大きさのカッティングシート２４を、第１の形態における樹脂カバー１５と略同一の大きさに形成された透明樹脂板の透明シート２５の上部の位置に貼着して形成されている。第１の表示板２３に形成された第１の表示文字は、第１の形態における第１の表示文字１３２ａと同様に、例えば、薬品の種類（「漢方薬」等）が、カッティングシート２４から切り抜かれて形成されている。
【００４８】
第２の形態における第２の表示板２６は、第１の表示板１４と同じ大きさのフィルム材で形成されている。
【００４９】
上述のように、第２の形態のコルトンボックス本体１１Ａでは、第１の表示板２３の透明シート２５が、第１の形態の樹脂カバー１５に相当することになり、第２の形態においては、第１の形態の樹脂カバー１５が削除されている。
【００５０】
第２の形態のコルトンボックス１０Ａの作用においては、第１の表示板２３と第２の表示板２６を交換する場合、第１の形態と同様、第１の表示板２３を取外す際には、第１の表示板２３を上方にスライドした後、アンダーカバー１２５を脱着する。そして、第１の表示板２３の中央部を湾曲に撓ませながら下方に引き下げて側縁部を側縁部保持レール１２１から脱着して行うこととなる。また、第２の形態のコルトンボックス本体１１Ａをコルトンボックスベース５から脱着する際は、第１の形態と同様である。
【００５１】
この形態によれば、第１の形態と同様、第１の表示文字と第２の表示文字を分割することによって、第１の表示文字を目立つように表示できるとともに、その取付け・取り外しも容易な作業で行うことができる。しかも第１の表示文字は、透明シート２５に貼着されていることから、第１の形態のように、第１の表示板として単独でコルトンボックス本体１Ａから着脱させる必要はなく、また落下防止も必要としない。
【００５２】
なお、本考案の広告装置は上述の形態に限定するものではない。例えば、図９に示すように、コルトンボックス本体１１を、コルトンボックスベース５に対して、正面パネル板１２を斜め下方に向けるように形成してもよい。正面パネル板１２を斜め下方に向けることによって、店内を歩き回るお客様が表示文字を見やすくするとともに、店内から照射される照明が樹脂カバー１５に写し出されることを防止している。つまり、店内の照明は樹脂カバー１５に線状に写し出されることから表示文字を見にくくさせることになる。
【図面の簡単な説明】
【００５３】
【図１】本考案のコルトンボックスを含めた陳列棚を示す全体斜視図である。
【図２】同側面図である。
【図３】コルトンボックス本体を示す分解斜視図である。
【図４】コルトンボックスの下縁部を示す一部側面断面図である。
【図５】第１の表示板と第２の表示板との配置状態を示す一部側面断面図である。
【図６】コルトンボックスベースを示す斜視図である。
【図７】コルトンボックス本体からの各表示板・樹脂カバーの取り外し手順を示す作用図である。
【図８】第２の形態のコルトンボックスを示す断面図である。
【図９】コルトンボックス本体の別の形態の形状を示す側面図である。
【符号の説明】
【００５４】
１、陳列棚
５、コルトンボックスベース
７、照明器具
１０、コルトンボックス（広告装置）
１１、コルトンボックス本体
１１１、耳片
１１２、耳片
１２、正面パネル板
１２１、側縁部保持レール
１２１ａ、溝部
１２２、上縁部保持レール
１２２ａ、溝部
１２３、下縁部保持レール
１２４、固定保持レール
１２５、アンダーカバー
１２５ｂ、溝部
１３、第１の表示板
１３１、透明シート
１３２、カッティングシート
１３２ａ、第１の表示文字
１３３、案内シート
１４、第２の表示板
１４１、第２の表示文字
１５、樹脂カバー
１０Ａ、コルトンボックス
１１Ａ、コルトンボックス本体
２３、第１の表示板
２４、カッティングシート
２５、透明シート
２６、第２の表示板
【図１】
0003142256.tif 000003
【図２】
0003142256.tif 000004
【図３】
0003142256.tif 000005
【図４】
0003142256.tif 000006
【図５】
0003142256.tif 000007
【図６】
0003142256.tif 000008
【図７】
0003142256.tif 000009
【図８】
0003142256.tif 000010
【図９】
0003142256.tif 000011